(57)【要約】      （修正有）【課題】太陽の位置情報を用いることにより、複数枚の画像を撮像することなく露光調整を行うことができるインターホン装置を提供する。【解決手段】来訪者を撮像するカメラと、居住者と通話する子機マイク及び子機スピーカを有する玄関子機と、カメラで撮像した映像を出画するモニタと、来訪者と通話する親機マイク、親機スピーカから構成される居室親機とから構成され、カメラで撮像した映像の露光調整を行うにあたり、玄関子機は、太陽光がカメラ撮像範囲に入り込んでいるかを判断する太陽光センサ部と、太陽光センサ部で検出した太陽光がカメラ撮像範囲のうちの何れの位置にあるかを検出する太陽位置検出部と、カメラ撮像範囲から取得される光量情報のうち太陽位置検出部で検出した太陽の位置情報が算出された範囲の光量情報を除外し、それ以外の範囲の光量情報を用いて露光調整を行う子機ＣＰＵを備えたことを特徴とする。【選択図】図１
2013179458.tif 000002
【特許請求の範囲】
【請求項１】
来訪者を撮像するためのカメラと、来訪者の呼出操作に基づいて居住者と通話するための子機マイク及び子機スピーカから構成される子機通話部とを有する玄関子機と、前記カメラで撮像した映像を出画するためのモニタと、前記来訪者と通話するための親機マイク、親機スピーカから構成される居室親機とから構成されるインターホン装置であって、
前記カメラで撮像した映像の露光調整をおこなうにあたり、
前記玄関子機は、太陽光がカメラ撮像範囲に入り込んでいるかを判断する太陽光センサ部と、前記太陽光センサ部で検出した太陽光が前記カメラ撮像範囲のうちの何れの位置にあるかを検出する太陽位置検出部と、前記カメラ撮像範囲から取得される光量情報のうち前記太陽位置検出部で検出した太陽の位置情報が算出された範囲の光量情報を除外し、それ以外の範囲の光量情報を用いて露光調整をおこなう子機ＣＰＵを備えたことを特徴とするインターホン装置。
【請求項２】
前記子機ＣＰＵは、前記カメラ撮像範囲は、複数のエリアに分割され、前記太陽位置検出部が検出した位置が含まれるエリの光量情報を除外して露光調整することを特徴とする請求項１記載のインターホン装置。
【請求項３】
前記子機ＣＰＵは、前記エリア数を増減可能とすることを特徴とする請求項２記載のインターホン装置。
【発明の詳細な説明】
【技術分野】
【０００１】
本発明はカメラを備えたインターホン装置に係り、住戸外に設置される玄関子機から住戸内に設置される居室親機へ明瞭な映像を提供することを目的としたインターホン装置に関する。
【背景技術】
【０００２】
従来、インターホン装置として特許文献１があった。この特許文献１では、露光時間の異なる少なくとも２枚の画像を撮像し、それらの画像を合成して来訪者を確認可能とする画像を作成した。例えば、人物は確認可能であるが逆光により背景が白く飛んだ映像や、背景を確認できるが人物が黒くつぶれた映像等パラメータを制御して露光時間の異なる複数の画像を撮像し、それらの画像を合成して、明るすぎる部分や暗すぎる部分を確認可能な映像を表示した。
【先行技術文献】
【特許文献】
【０００３】
【特許文献１】特開２００９−８１５１４号公報
【発明の概要】
【発明が解決しようとする課題】
【０００４】
しかしながら、従来のインターホン装置は、露光時間の異なる複数枚の画像を撮像するため、撮像する毎にカメラパラメータを変更して所謂露光時間を調整しなければならなかった。また、撮像した複数枚の画像を保存する記憶部が必要であった。
そこで、本発明はこのような問題点に鑑み、太陽の位置情報を用いることにより、複数枚の画像を撮像することなく露光調整をおこなうことができるインターホン装置を提供することを目的としている。
【課題を解決するための手段】
【０００５】
本発明によるインターホン装置は、来訪者を撮像するためのカメラと、来訪者の呼出操作に基づいて居住者と通話するための子機マイク及び子機スピーカから構成される子機通話部とを有する玄関子機と、カメラで撮像した映像を出画するためのモニタと、来訪者と通話するための親機マイク、親機スピーカから構成される居室親機とから構成されるインターホン装置であって、カメラで撮像した映像の露光調整をおこなうにあたり、玄関子機は、太陽光がカメラ撮像範囲に入り込んでいるかを判断する太陽光センサ部と、太陽光センサ部で検出した太陽光がカメラ撮像範囲のうちの何れの位置にあるかを検出する太陽位置検出部と、カメラ撮像範囲から取得される光量情報のうち太陽位置検出部で検出した太陽の位置情報が算出された範囲の光量情報を除外し、それ以外の範囲の光量情報を用いて露光調整をおこなう子機ＣＰＵを備えたことを特徴とする。
【０００６】
また、請求項１において、子機ＣＰＵは、カメラ撮像範囲は、複数のエリアに分割され、太陽位置検出部が検出した位置が含まれるエリの光量情報を除外して露光調整することを特徴とする。
【０００７】
更に、請求項２において、子機ＣＰＵは、エリア数を増減可能とすることを特徴とする。
【発明の効果】
【０００８】
請求項１の発明によれば、撮像範囲内の太陽の位置を検出することにより、太陽が写っている部分だけ自動露光の調整範囲から除外することができ、太陽が直接写りこんでしまっている逆光環境下などの厳しい環境でも来訪者の顔が確認可能となるよう最適な露光状態に自動調整する事が可能となる。
請求項２の発明によれば、太陽が写っている位置をエリアで判断できるので、子機ＣＰＵでの処理を軽減させることができる。
請求項３の発明によれば、エリアを増減させることができるので、エリアを細かくした場合にはより最適な露光状態に調整することができる。
【図面の簡単な説明】
【０００９】
【図１】本発明におけるインターホン装置のシステム構成及び機能ブロック図である。
【図２】本発明におけるインターホン装置の画面説明図である。
【発明を実施するための最良の形態】
【００１０】
以下、本発明を適用したインターホン装置について詳述する。
図１のシステム構成図及び機能ブロック図に示すようにインターホン装置は、玄関子機１と居室親機２から構成されており、玄関子機１は、来訪者が居住者を呼び出すための呼出ボタン１１と、来訪者が居住者と通話するための子機マイク１２、子機スピーカ１３及び子機通話部１４と、来訪者を撮像するためのカメラ１５と、カメラ１５で撮像した映像信号を変調する変調部１６と、カメラ１５で撮像した映像の露光調整をおこなうにあたり、太陽光がカメラ１５のカメラ撮像範囲に入り込んでいるかを判断する太陽光センサ部１７と、太陽光センサ部１７で検出した太陽光がカメラ撮像範囲のうちの何れの位置にあるかを検出する太陽位置検出部１８と、居室親機２と通信するための子機ＩＦ１９と、各回路の制御及びカメラ撮像範囲から取得される光量情報のうち太陽位置検出部１８で検出した太陽の位置情報が算出された範囲の光量情報を除外し、それ以外の範囲の光量情報を用いて露光調整をおこなう子機ＣＰＵ２０とから構成されている。
【００１１】
また、居室親機２は、玄関子機１からの呼び出しに応答するための通話ボタン２１と、居住者が来訪者と通話するための親機マイク２２、親機スピーカ２３及び親機通話部２４と、玄関子機から送信された映像を復調部２６で復調して表示するためのモニタ２５と、玄関子機１と通信するための親機ＩＦ２７と、各回路の制御をおこなう親機ＣＰＵ２８とから構成されている。
【００１２】
なお、玄関子機１の太陽光センサ部１７は、フォトトランジスタ又はフォトダイオードを使用して構成している。
【００１３】
このように構成されたインターホン装置について、以下、動作を説明する。
来訪者が居住者を呼び出すため玄関子機１の呼出ボタン１１の押下操作をおこなうと子機ＣＰＵ２０がこれを検出し、子機ＩＦ１９を介して呼出信号を居室親機２に送信する。居室親機２では親機ＩＦ２７を介して親機ＣＰＵ２８でこれを検出し、親機通話部２４を制御して親機スピーカ２３から呼出音を放音させる。また、これと同時に親機ＣＰＵ２８は、玄関子機１のカメラ１５を駆動させるため電源を供給する（詳述せず）。子機ＣＰＵ２０は、カメラ１５を駆動させて撮像を開始させるとともに、太陽光センサ部１７及び太陽位置検出部１８を駆動させる制御をおこなう。
【００１４】
太陽光センサ部１７は、カメラ１５の近傍に設置されており、直接太陽光が当該太陽光センサ部１７に当たっている場合には大電流が流れ、それを検出することができる。なお、間接光であっても電流は流れるが直接光の電流よりも少ない。そして、子機ＣＰＵ２０は、太陽光センサ部１７で検出した電流値が予め定めた閾値よりも大きい場合にカメラ１５のカメラ撮像範囲内に直接太陽が写りこんでいると判断する。
【００１５】
そして、子機ＣＰＵ２０は、カメラ撮像範囲内に太陽が写りこんでいることを太陽位置検出部１８に通知し、太陽位置検出部１８はカメラ１５から送信されてきた画像内から太陽の位置を次のように特定する。
【００１６】
太陽位置検出部１８は、図２の画面説明図に示すように、画像を９分割して其々の範囲内の平均光量を算出する。その９つの算出結果より、最も光量の高い場所に太陽があると判別して、その範囲の情報を子機ＣＰＵ２０にフィードバックする。ここで、子機ＣＰＵ２０にフィードバックする範囲の情報は、予め９分割した画像それぞれに番号を付与してその番号を用いてもいいし、９分割した画像の座標情報を用いてもよい。本実施例においては、「３」の位置に太陽光があることが算出され、子機ＣＰＵ２０には、番号「３」の情報を送信することとなる。
【００１７】
太陽位置検出部１８により太陽光の位置を検出した玄関子機ＣＰＵ２０は、太陽がある範囲である番号「３」の光量情報を除外し、それ以外の範囲である番号「１、２、４〜９」の光量情報を用いて露光調整するよう制御する。
これにより、カメラ１５はその範囲の光量情報を除外することができ、明る過ぎる太陽の光量に引っ張られずに厳しい逆光環境下でも来訪者の顔が認識可能な、最適の露光調整を実現することができる。
【００１８】
なお、上記実施例においては画像を９分割しているが、これを増減させることができる。この増減は玄関子機１又は居室親機２で変更可能であって、例えば９分割を１６分割、２５分割・・・と増やすことにより、より正確に太陽光の位置を把握することができる。
また、太陽光センサ部は、太陽電池の構成を用いることにより太陽の有無の判断だけでなく、玄関子機内の消費電力の低減を図るように構成してもよい。
【符号の説明】
【００１９】
１・・・玄関子機
１１・・・呼出ボタン
１２・・・子機マイク
１３・・・子機スピーカ
１４・・・子機通話部
１５・・・カメラ
１７・・・太陽光センサ部
１８・・・太陽位置検出部
１９・・・子機ＩＦ
２０・・・居室親機
２１・・・モニタ
２２・・・親機マイク
２３・・・親機スピーカ
２５・・・モニタ
２８・・・親機ＣＰＵ
【図１】
2013179458.tif 000003
【図２】
2013179458.tif 000004